(57)【特許請求の範囲】
【請求項１】
一方の複数のモノのインターネット通信デバイス（２０）と他方のモバイル通信ネットワーク（１００）との間で小規模低頻度通信データを送信する方法であって、
前記モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
前記モノのインターネット通信デバイス（２０）は、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信し、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
前記モバイル通信ネットワーク（１００）は、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを前記モバイル通信ネットワーク（１００）のモバイル加入者（４０）に提供し、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該方法は、前記コアネットワーク（１２０）のネットワークノード（１２１）に向けて、前記小規模低頻度通信データをＩＰパケットの前記ペイロード部分の一部として送信する、前記基地局エンティティ（１１１）のステップを含み、
前記アクセスネットワーク（１１０）は、前記複数のモノのインターネット通信デバイス（２０）に関する前記コアネットワークに向けての全ての網間接続を実行させる、方法。
【請求項２】
前記小規模低頻度通信データを送信する前記電磁信号は、一周波数又は複数の周波数を用いて送信され、該周波数は、
前記モバイル通信ネットワーク（１００）の前記モバイル通信サービスを提供する前記少なくとも１つの周波数帯域の前記少なくとも１つの無線チャネルの周波数と異なり、及び／又は、
前記モバイル通信ネットワーク（１００）の前記モバイル通信サービスを提供する前記少なくとも１つの周波数帯域の少なくとも１つの無線チャネルの周波数と重複し、
前記電磁スペクトルの免許不要部分内にあり、又は、
前記電磁スペクトルの免許部分内にある、
請求項１に記載の方法。
【請求項３】
前記モノのインターネット通信デバイス（２０）のそれぞれは、デバイス識別子情報を送信し、該デバイス識別子情報は、特に、前記モノのインターネット通信デバイス（２０）のそれぞれについて一意であり、特に、前記デバイス識別子情報は、前記モノのインターネット通信デバイス（２０）と前記モバイル通信ネットワーク（１００）の前記基地局エンティティ（１１１）との間の前記無線リンク上でリンクレイヤ識別子として直接又は間接的に用いられる、請求項１又は２に記載の方法。
【請求項４】
前記基地局エンティティ（１１１）から前記コアネットワーク（１２０）に向けて送信されるＩＰパケットの宛先アドレスは、前記モノのインターネット通信デバイス（２０）から受信されるデバイス識別子情報に依存し、
前記宛先アドレスは、特に、以下のもの、すなわち、
それぞれが前記コアネットワーク（１２０）内に位置するか又は前記コアネットワーク（１２０）の外部に位置するが前記コアネットワーク（１２０）に接続されている、ゲートウェイ若しくは中間ノード又はサービスノード若しくはアプリケーションサーバ、
前記アクセスネットワーク（１１０）の別の基地局エンティティ、
前記基地局エンティティ（１１１）自体のアドレス、
のうちの１つに対応し、
前記宛先アドレスに加えて任意選択で、前記コアネットワーク（１２０）の次ホップネットワークノードのアドレスが規定され、該次ホップネットワークノードは、前記ＩＰパケットの次の後続の宛先に対応する、請求項１〜３のいずれか１項に記載の方法。
【請求項５】
前記方法は、特に前記基地局エンティティ（１１１）によって、前記モノのインターネット通信デバイス（２０）のうちの少なくとも１つにプロキシＩＰアドレスを割り当てるステップを含み、小規模低頻度通信データが前記少なくとも１つのモノのインターネット通信デバイス（２０）から前記基地局エンティティ（１１１）によって受信される場合に、前記プロキシＩＰアドレスは、前記基地局エンティティ（１１１）から前記コアネットワーク（１２０）に向けて送信された前記小規模低頻度通信データに対応する前記ＩＰパケットの送信元アドレスとして用いられ、特に、小規模低頻度通信データが前記少なくとも１つのモノのインターネット通信デバイス（２０）によって受信される場合に、前記プロキシＩＰアドレスは、宛先アドレスとして用いられる、請求項１〜４のいずれか１項に記載の方法。
【請求項６】
前記基地局エンティティ（１１１）は、ルックアップテーブル又は他のデータベースを保持し、モノのインターネット通信デバイス（２０）の特定のデバイス識別子情報について、宛先アドレスと、任意選択で次ホップアドレス及び／又はプロキシＩＰアドレスとが前記データベース又は前記ルックアップテーブルに記憶されるようになっている、請求項１〜５のいずれか１項に記載の方法。
【請求項７】
前記基地局エンティティ（１１１）は、前記モノのインターネット通信デバイス（２０）によって提供される前記デバイス識別子情報の少なくとも一部を名前解決メカニズムへの入力パラメータとして用いて、該名前解決メカニズムによって前記宛先アドレス及び／又は前記次ホップアドレス及び／又は前記プロキシＩＰアドレスを取り出す、請求項３、４、５、又は６のいずれか１項に記載の方法。
【請求項８】
前記モノのインターネット通信デバイス（２０）は、アクティブモード及び／又はアイドルモード及び／又はスリープモードにおいて動作されるように構成され、前記モノのインターネット通信デバイス（２０）がアクティブモード及び／又はアイドルモード及び／又はスリープモードにある時間間隔は、前記モノのインターネット通信デバイス（２０）と前記基地局エンティティ（１１１）との間若しくは前記モノのインターネット通信デバイス（２０）と関連付けられたアプリケーションサーバエンティティとの間のいずれかで通信されるか、又は前記基地局エンティティ（１１１）に知られており、特に、小規模低頻度通信データが前記モノのインターネット通信デバイス（２０）に送信される場合に、データは、前記基地局エンティティ（１１１）にバッファリングされる、請求項１〜７のいずれか１項に記載の方法。
【請求項９】
モノのインターネット制御デバイス（２５）が、前記モノのインターネット通信デバイス（２０）のうちの少なくとも１つに接続され、前記方法は、前記モノのインターネット制御デバイス（２５）が、前記小規模低頻度通信データを含む、前記基地局エンティティ（１１１）が送信する前記ＩＰパケットを生成するステップを含み、前記モノのインターネット制御デバイス（２５）は、特に、前記基地局エンティティ（１１１）が前記ネットワークノード（１２１）に向けて送信している前記ＩＰパケットの前記宛先アドレスを規定し、及び／又は、前記基地局エンティティ（１１１）は、特に、前記ＩＰパケット、特に、該ＩＰパケットの前記ヘッダ部分及び／又は前記送信元アドレスを追加及び／又は補完する、請求項１〜８のいずれか１項に記載の方法。
【請求項１０】
一方の複数のモノのインターネット通信デバイス（２０）と他方のモバイル通信ネットワーク（１００）との間で小規模低頻度通信データを送信するシステムであって、該システムは、モバイル通信ネットワーク（１００）と、前記複数のモノのインターネット通信デバイス（２０）とを備え、前記モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
該システムは、前記モノのインターネット通信デバイス（２０）が、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信する、ように構成され、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
該システムは、前記モバイル通信ネットワーク（１００）が、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを前記モバイル通信ネットワーク（１００）のモバイル加入者（４０）に提供する、ように構成され、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該システムは、前記基地局エンティティ（１１１）が、前記コアネットワーク（１２０）のネットワークノード（１２１）に向けて、前記小規模低頻度通信データをＩＰパケットの前記ペイロード部分の一部として送信する、ように構成され、
前記アクセスネットワーク（１１０）は、前記複数のモノのインターネット通信デバイス（２０）に関する前記コアネットワークに向けての全ての網間接続を実行させる、システム。
【請求項１１】
請求項１０に記載のシステムにおける、一方の複数のモノのインターネット通信デバイス（２０）と他方のモバイル通信ネットワーク（１００）との間で小規模低頻度通信データを送信することに適したモノのインターネット通信デバイス（２０）であって、
該モノのインターネット通信デバイス（２０）は、特に、モノのインターネット制御デバイス（２５）を備える、モノのインターネット通信デバイス。
【請求項１２】
一方の複数のモノのインターネット通信デバイス（２０）と他方のモバイル通信ネットワーク（１００）との間で小規模低頻度通信データを送信する該モバイル通信ネットワーク（１００）であって、該モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
前記モノのインターネット通信デバイス（２０）は、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信するように構成され、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
該モバイル通信ネットワーク（１００）は、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを該モバイル通信ネットワーク（１００）のモバイル加入者（４０）に提供するように構成され、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該モバイル通信ネットワーク（１００）は、前記基地局エンティティ（１１１）が、前記コアネットワーク（１２０）のネットワークノード（１２１）に向けて、前記小規模低頻度通信データをＩＰパケットの前記ペイロード部分の一部として送信する、ように構成され、
前記アクセスネットワーク（１１０）は、前記複数のモノのインターネット通信デバイス（２０）に関する前記コアネットワークに向けての全ての網間接続を実行させる、モバイル通信ネットワーク。
【請求項１３】
コンピュータ上で、又はモノのインターネット通信デバイス（２０）上で、又はモバイル通信ネットワーク（１００）のネットワーク構成要素上で、又は一部がモノのインターネット通信デバイス（２０）上及び一部がモバイル通信ネットワーク（１００）のネットワーク構成要素上で実行されると、前記コンピュータ又は前記モノのインターネット通信デバイス（２０）及び／又は前記モバイル通信ネットワーク（１００）の前記ネットワーク構成要素に、請求項１〜９のいずれか１項に記載の方法を実行させる、コンピュータ可読プログラムコードを含むプログラム。 
【発明の詳細な説明】
【技術分野】
【０００１】
本発明は、一方の複数のモノのインターネット（internet-of-things）通信デバイスと他方のモバイル通信ネットワークとの間で小規模低頻度通信データを送信する方法であって、上記モバイル通信ネットワークは、アクセスネットワークと、コアネットワークとを備え、上記アクセスネットワークは、少なくとも無線セルと、この無線セルに関連付けられた基地局エンティティとを備え、この基地局エンティティはアンテナ機器を備え、このアンテナ機器は、上記小規模低頻度通信データの受信及び／又は送信に用いられ、上記モノのインターネット通信デバイスは、上記基地局エンティティの上記アンテナ機器によって受信及び／又は送信されている無線周波数電磁信号を用いて、少なくとも上記モノのインターネット通信デバイスから上記基地局エンティティに向かう方向又は上記基地局エンティティから上記モノのインターネット通信デバイスに向かう方向に上記小規模低頻度通信データを送信及び／又は受信する、方法に関する。
【０００２】
さらに、本発明は、一方の複数のモノのインターネット通信デバイスと他方のモバイル通信ネットワークとの間で小規模低頻度通信データを送信するシステム及びモバイル通信ネットワークであって、上記システムは、モバイル通信ネットワークと、上記複数のモノのインターネット通信デバイスとを備え、上記モバイル通信ネットワークは、アクセスネットワークと、コアネットワークとを備え、上記アクセスネットワークは、少なくとも無線セルと、この無線セルに関連付けられた基地局エンティティとを備え、この基地局エンティティはアンテナ機器を備え、このアンテナ機器は、上記小規模低頻度通信データの受信及び／又は送信に用いられ、上記モノのインターネット通信デバイスは、上記基地局エンティティの上記アンテナ機器によって受信及び／又は送信されている無線周波数電磁信号を用いて、少なくとも上記モノのインターネット通信デバイスから上記基地局エンティティに向かう方向又は上記基地局エンティティから上記モノのインターネット通信デバイスに向かう方向に上記小規模低頻度通信データを送信及び／又は受信する、システム及びモバイル通信ネットワークに関する。
【０００３】
加えて、本発明は、一方の複数のモノのインターネット通信デバイスと他方のモバイル通信ネットワークとの間における小規模低頻度通信データの送信及び／又は受信に適したモノのインターネット通信デバイスに関する。
【０００４】
さらに、本発明は、本発明の方法、システム及びモバイル通信ネットワークによる電気通信ネットワークの複数のユーザ機器に通信サービスを提供するプログラム及びコンピュータプログラム製品に関する。
【背景技術】
【０００５】
モノのインターネットによると、あらゆる種類の「モノ（things）」（センサ、産業システム、自動車、メータ等）が、インターネットに接続されるか又は接続し、互いに又はアプリケーションサーバと通信することができる。次の１０年の早い時期までには２００億を越えるデバイスが、モノのインターネット（ＩｏＴ）において無線接続されることが予測され、アナリストの中には、そのような接続されたデバイス（又は無線デバイス若しくはモノのインターネット通信デバイス）の数がこの１０年の終わりまでに数十億に増大すると予測するアナリストさえいる。
【０００６】
モノのインターネットのユースケースの多くは、「モノ」、すなわち、モノのインターネット通信デバイスの散発的又は遊動的な接続挙動を伴う。すなわち、この挙動の結果、特に、モノのインターネット通信デバイスから互いに向けて又はアプリケーションサーバに向けて送信する必要があるデータは小規模かつ低頻度であり、その反対方向においても少なくとも部分的にそうである。これらの接続中は、通常、非常に限られた量のユーザデータしか転送されない。したがって、関連する疑問は、これらのモノのインターネット通信デバイスを「いつでもどこでも接続する」ことをどのように達成することができるのかということである。有線接続がそれらのユースケースに役立つことができること、又は「モノ」（すなわち、モノのインターネット通信デバイス）が接続したい時及び場所において有線接続が利用可能でもあることを前提とすることができないので、無線システムが大部分のケースで用いられることが予想される。
【０００７】
したがって、これらのモノのインターネット通信デバイスの多くは、無線システムを用い、小型電池で数年間動作することができる低コスト／低エネルギーの無線デバイス（又はモノのインターネット通信デバイス）を考慮したモバイル／無線通信ネットワークから利益を受ける。
【０００８】
このモバイル／無線通信ネットワークでは、モノのインターネットのセルラ形態（cellar variant）が稼働に入っており、実質的にグローバルな無線ネットワークが、種々の無線技術を用いた今日のセルラモバイル通信ネットワークの形態で既に利用可能である。このことは、特に、ローカルエリアネットワークではなくワイドエリアネットワークに関して言えば、モノのインターネットの接続ニーズに対処する最も実現可能な解決策として、モノのセルラインターネット、すなわちＣＩｏＴの概念をもたらした。
【０００９】
しかしながら、今日のセルラモバイル通信ネットワークは、音声サービス及びメッセージングサービス（例えば、ＧＳＭ（登録商標））、又は高速広帯域データサービス（例えば、ＵＭＴＳ／ＨＳＰＡ、ＬＴＥ／ＬＴＥ−Ａ）のいずれかに焦点を当てている。この特定の設計焦点は、「低頻度小規模データ送信」用のモノのインターネット通信デバイスの予想される要件にあまり適合していない。加えて、今日のセルラモバイル通信ネットワークは、今日の（スマート）フォンの数を３桁上回る可能性がある多数のモノのインターネット通信デバイスをハンドリングするように設計されていない。さらに、それらの技術は、通信デバイスの電力消費に関してあまり最適化されていないのに対して、特に、モノのインターネット通信デバイスは、少なくとも１年ではあるが、好ましくは、数年は小さな電池で動作するために、超低電力消費を必要とする。
【００１０】
予想されるモノのセルラインターネットにセルラネットワークを適合させるために、セルラネットワークをどのように高度化するのかについて、以下のように、複数の提案が議論されてきた。
−最適化されたシグナリング：通常、セルラモバイル通信ネットワークにおいて実施され、ユーザ機器（スマートフォン等）によって用いられる複数のシグナリング手順は、多くのＣＩｏＴユースケースでは、必要とされないか又は簡略化することができる；
−制御プレーンを介したデータ送信：（モバイル通信ネットワークに接続された）デバイスは、ユーザプレーンリソースの初期セットアップを含む、セルラモバイル通信ネットワークの標準的なシグナリングを適用するが、（モノのインターネットユースケースの）（ペイロード）データ送信は、実際にはモバイル通信ネットワークの制御プレーン上で行われ、追加のユーザプレーンリソース管理の必要がなくなる；
−制御プレーンのみ：この変形形態では、ＣＩｏＴデバイスは、ユーザプレーンリソースを全く用いない；制御チャネルのみが確立され、その後、モノのインターネットのユースケースの小規模低頻度通信データを送信するのに用いられる；
−クリーンスレート（clean-slate）無線の提案：これらの解決策は、モノのインターネットの「軽量」無線技術と、モバイル通信ネットワーク（すなわち、ＧＳＭ（登録商標）、ＵＭＴＳ／ＨＳＰＡ、又はＬＴＥ／ＬＴＥ−Ａ）のコアネットワークへの少なくとも１つの標準化された種類のネットワークアクセスに従ったセルラモバイル通信ネットワークとの統合を含む。
【００１１】
しかしながら、上記提案された解決策のいずれも、もし、これらの全ての手法が、ＣＩｏＴユースケースに役立つように、
−既存のシステムから或る特定の不要な機能を除去するだけであるか、又は、
−３ＧＰＰ類似のコアネットワーク通信の或る変形形態をクリーンスレート無線技術上に加える、
ものであることを考えれば、最適化されたＣＩｏＴネットワークをもたらすものではない。
【発明の概要】
【発明が解決しようとする課題】
【００１２】
本発明の目的は、一方において、セルラモバイル通信ネットワークの既存のインフラストラクチャを使用することができ、他方において、モノのセルラインターネット及びモノのインターネット通信デバイスのユースケースが、セルラモバイル通信ネットワークの既存のインフラストラクチャの使用に専ら関連するあらゆる負担（通常は電力消費の増加）又はこの使用によって引き起こされるあらゆる負担から可能な限り解放されるように、複数のモノのインターネット通信デバイスとモバイル通信ネットワークとの間で小規模低頻度通信データを送信することである。
【課題を解決するための手段】
【００１３】
本発明の目的は、一方の複数のモノのインターネット通信デバイスと他方のモバイル通信ネットワークとの間で小規模低頻度通信データを送信する（又は交換する）方法であって、モバイル通信ネットワークは、アクセスネットワークと、コアネットワークとを備え、アクセスネットワークは、少なくとも無線セルと、この無線セルに関連付けられた基地局エンティティとを備え、この基地局エンティティは、アンテナ機器を備え、このアンテナ機器は、小規模低頻度通信データの受信及び／又は送信に用いられ、
モノのインターネット通信デバイスは、基地局エンティティのアンテナ機器によって受信されている無線周波数電磁信号を用いて、少なくともモノのインターネット通信デバイスから基地局エンティティに向かう方向に小規模低頻度通信データを送信し、及び／又は基地局エンティティのアンテナ機器によって送信されている無線周波数電磁信号を用いて、少なくとも基地局エンティティからモノのインターネット通信デバイスに向かう方向の小規模低頻度通信データを受信し、
−小規模低頻度通信データのペイロードサイズは、１０キロバイト未満であり、及び／又は、
−小規模低頻度通信データは、少なくとも６０分の時間間隔当たりの平均ビットレートが１０Ｂｄ（１０ビット毎秒）未満であり、
モバイル通信ネットワークは、少なくとも９，６ｋＢｄ（９６００ビット毎秒）のビットレートを有するモバイル通信データを伴う、特に、少なくとも９，６ｋＢｄ（９６００ビット毎秒）の比較的高いビットレートを有するモバイル通信データを伴うとともに基地局エンティティのアンテナ機器又は更なるアンテナ機器を用いるモバイル通信サービスをモバイル通信ネットワークのモバイル加入者に提供し、基地局エンティティとモバイル加入者との間のエアインターフェースは、モバイル通信サービスを提供する複数の無線チャネルを少なくとも１つの周波数帯域内に備え、
この方法は、コアネットワークのネットワークノードに向けて及び／又はこのコアネットワークのこのネットワークノードから、小規模低頻度通信データをＩＰパケットのペイロード部分の一部として少なくとも部分的に送信及び／又は受信する、基地局エンティティのステップを含む、方法によって達成される。
【００１４】
それによって、本発明によれば、根本的に新規な手法が、モノのインターネット通信デバイスとモバイルネットワークとの間の無線リンクに対して用いられるだけでなく（モノのインターネットアプリケーションとともに用いられるように専用化された新たなエアインターフェースの提案に伴うクリーンスレート無線手法）、モノのインターネットに関連したエンドツーエンドのデータ送信を達成する改良に関しても用いられることが有利に可能である。
【００１５】
理論的には、提案された全てのクリーンスレート無線技術を、モバイル通信ネットワークの従来のセルラコアネットワーク（ＧＰＲＳコア、ＵＭＴＳコア又はＬＴＥのＥＰＣ）に適合させることができるが、それらのコアネットワークアーキテクチャのプロトコルは、超低コスト及び超効率的なモノのセルラインターネットシステムに必要とされる簡素さには整合していない。
【００１６】
本発明によれば、小規模低頻度通信データは、（複数のモノのインターネット通信デバイスのうちの）少なくとも１つのモノのインターネット通信デバイスとモバイル通信ネットワークとの間で送信される。本発明によれば、複数のモノのインターネット通信デバイスは、互いに通信することが同様に可能であり、好ましい。すなわち、これらのモノのインターネット通信デバイスのうちの少なくとも２つは、少なくとも１つの方向（すなわち、これらの２つのモノのインターネット通信デバイスのうちの一方から他方）に小規模低頻度通信データを送信するが、好ましくは、反対方向にも送信することが同様に可能であり、好ましい。
【００１７】
本発明によれば、モバイル通信ネットワークは、アクセスネットワークと、コアネットワークとを備える。アクセスネットワークは、少なくとも無線セルと、この無線セルに関連付けられた基地局エンティティとを備え、この基地局エンティティは、アンテナ機器を備える。このアンテナ機器は、小規模低頻度通信データの受信及び／又は送信に用いられる。モノのインターネット通信デバイスは、基地局エンティティのアンテナ機器によって送信及び／又は受信されている無線周波数電磁信号を用いる。
【００１８】
小規模低頻度通信データは、少なくともアップリンク方向、すなわち、モノのインターネット通信デバイスから基地局エンティティに向けた方向に送信される。本発明の好ましい変形形態によれば、他のデータであるが、小規模低頻度通信データでもあるデータは、反対方向（すなわち、ダウンリンク方向）、すなわち、基地局エンティティからモノのインターネット通信デバイス（又は複数のモノのインターネット通信デバイス）に向けた方向に送信することもできる。
【００１９】
本発明によれば、小規模低頻度通信データは、
−（単位データ送信、すなわち「１回」に関連した）小規模低頻度通信データのペイロードサイズは、１０キロバイト未満であり、及び／又は、
−小規模低頻度通信データは、少なくとも６０分の時間間隔当たりの平均ビットレートが１０Ｂｄ（１０ビット毎秒）未満である、
ように送信されるデータに対応する。
もちろん、小規模低頻度通信データの複数の単位データ送信を伴う、より長い時間間隔（１日又は１週又は１カ月又は１年等）の間に、（１０キロバイトと比較して）より多くの量のペイロードデータを送信することができる。
【００２０】
モノのインターネット機能を提供することに加えて、モバイル通信ネットワーク（したがって、通常は基地局エンティティ）は、少なくとも９，６ｋＢｄ（９６００ビット毎秒）のビットレートを有するモバイル通信データを伴う、特に、少なくとも９，６ｋＢｄ（９６００ビット毎秒）の比較的高いビットレートを有するモバイル通信データを伴うとともに、基地局エンティティのアンテナ機器又は更なるアンテナ機器を用いるモバイル通信サービスをモバイル通信ネットワークの（「通常の」）モバイル加入者に提供し、基地局エンティティとモバイル加入者との間のエアインターフェースは、モバイル通信サービスを提供する複数の無線チャネルを少なくとも１つの周波数帯域内に備える。
【００２１】
本発明によれば、基地局エンティティは、コアネットワークのネットワークノードに向けて及び／又はコアネットワークのネットワークノードから、小規模低頻度通信データをＩＰパケットのペイロード部分の一部として少なくとも部分的に送信及び／又は受信する。それによって、モノのインターネット機能とセルラモバイル通信ネットワークとの統合において、比較的高い柔軟性が可能である。
【００２２】
本発明によれば、小規模低頻度通信データを送信する電磁信号は、一周波数又は複数の周波数を用いて送信され、この周波数は、
−モバイル通信ネットワークのモバイル通信サービスを提供する少なくとも１つの周波数帯域の少なくとも１つの無線チャネルの周波数と異なり、及び／又は、
−モバイル通信ネットワークのモバイル通信サービスを提供する少なくとも１つの周波数帯域の少なくとも１つの無線チャネルの周波数と少なくとも部分的に重複し、
−電磁スペクトルの免許不要部分内にあり、又は、
−電磁スペクトルの免許部分内にある、
ことが好ましい。
【００２３】
本発明によれば、小規模低頻度通信データを送信する電磁信号は、
−例えば、周波数領域若しくは時間領域若しくは符号領域が、モバイル通信ネットワークのモバイル通信サービスを提供する少なくとも１つの周波数帯域の少なくとも１つの無線チャネルと異なり、及び／又は、
−例えば、モバイル通信ネットワークのモバイル通信サービスを提供する少なくとも１つの周波数帯域の少なくとも１つの無線チャネルと周波数領域若しくは時間領域若しくは符号領域において少なくとも部分的に重複し、
−電磁スペクトルの免許不要部分内にあり、又は、
−電磁スペクトルの免許部分内にある、
ことが好ましい。
【００２４】
それによって、モバイル通信ネットワーク（又は基地局エンティティによってサービングされた無線セル内では、当該基地局エンティティ）は、モノのインターネット通信デバイスとの小規模低頻度通信データの交換を提供することと、モバイル通信ネットワークのモバイル加入者又はユーザ機器にモバイル通信サービスを提供することとの双方が有利に可能である。モバイル加入者又はユーザ機器に提供されるモバイル通信サービスは、通常、免許無線スペクトルを必要とする。ただし、特にＬＴＥ又はＬＴＥアドバンストの無線アクセス技術を用いると、免許不要無線スペクトルも、これらのモバイル加入者又はユーザ機器をサービングすることに用いることができる。一方のモノのインターネット通信デバイスと他方のモバイル通信ネットワークとの間で小規模低頻度通信データを交換するのに用いられる無線周波数電磁信号は、多くの場合、免許不要無線スペクトルを用いる。ただし、本発明によれば、これらの小規模低頻度通信データの送信及び／又は受信に免許無線スペクトルを用いることも可能であり、好ましい。第１のグループのモノのインターネット通信デバイスとモバイル通信ネットワークとの間における小規模低頻度通信データの交換には、免許不要無線スペクトルが用いられ、第２のグループのモノのインターネット通信デバイス（おそらく、第１のグループのモノのインターネット通信デバイスと同じ無線セル内）とモバイル通信ネットワークとの間における小規模低頻度通信データの交換には、免許無線スペクトルが用いられることも考えられる。以下の場合、すなわち、
−所与のモバイル加入者又はユーザ機器には、免許無線スペクトルを必要とする通信サービスが用いられ、
−所与のモノのインターネット通信デバイスには、免許不要無線スペクトルを必要とする小規模低頻度通信データが交換される、
場合には、小規模低頻度通信データを送信／受信する電磁信号は、例えば、周波数領域又は時間領域又は符号領域が、（モバイル加入者の）モバイル通信サービスを提供するのに用いられる無線チャネルと異なることが明らかである。しかしながら、同一の無線セル内であっても、少なくとも別のモバイル加入者又は少なくとも別のモノのインターネット通信デバイスに関して、電磁信号は、これらの電磁信号が、例えば、モバイル通信ネットワークのモバイル通信サービスの提供に用いられる少なくとも１つの無線チャネルと、周波数領域又は時間領域又は符号領域において少なくとも部分的に重複しているような小規模低頻度通信データを送信するのに用いられることが考えられる。
【００２５】
本発明の更に好ましい実施の形態によれば、モノのインターネット通信デバイスのそれぞれは、デバイス識別子情報を送信し、このデバイス識別子情報は、特に、モノのインターネット通信デバイスのそれぞれについて一意である。
【００２６】
それによって、モノのインターネット通信デバイスを効果的かつ直接的な方法で特定することができることが有利に可能である。デバイス識別子情報の送信は、例えば、デバイス識別子情報を暗号化することによって保護されることが、本発明によれば、特に可能であり、好ましい。このデバイス識別子は、モノのインターネット通信デバイスとモバイル通信ネットワークの無線セルとの間の無線リンク上でリンクレイヤ識別子として直接又は間接的に用いることができることが更に有利に可能である。
【００２７】
また、本発明の更に好ましい実施の形態によれば、基地局エンティティからコアネットワークに向けて送信されるＩＰパケットの宛先アドレスは、モノのインターネット通信デバイスから受信されるデバイス識別子情報に依存し、
宛先アドレスは、特に、以下のもの、すなわち、
−それぞれがコアネットワーク内に位置するか又はコアネットワークの外部に位置するがコアネットワークに接続されている、ゲートウェイ若しくは中間ノード又はサービスノード若しくはアプリケーションサーバ、
−アクセスネットワークの別の基地局エンティティ、
−基地局エンティティ自体のアドレス、
のうちの１つに対応し、
宛先アドレスに加えて任意選択で、コアネットワークの次ホップネットワークノードのアドレスが規定され、この次ホップネットワークノードは、ＩＰパケットの次の後続の宛先に対応する、ことが好ましい。
【００２８】
それによって、基地局エンティティは、宛先アドレスによって指定されたエンティティにＩＰパケットを送信することが有利に可能であるとともに、任意選択で、これに加えて、ＩＰパケットの次の後続の宛先の次ホップアドレスを、好ましくはＩＰパケットペイロード又はＩＰパケットヘッダに含まれるパラメータとして示すことが可能である。
【００２９】
本発明によれば、方法は、特に基地局エンティティによって、モノのインターネット通信デバイスのうちの少なくとも１つにプロキシＩＰアドレスを割り当てるステップを含み、小規模低頻度通信データが少なくとも１つのモノのインターネット通信デバイスから基地局エンティティによって受信される場合に、プロキシＩＰアドレスは、基地局エンティティからコアネットワークに向けて送信された小規模低頻度通信データに対応するＩＰパケットの送信元アドレスとして用いられ、特に、小規模低頻度通信データが少なくとも１つのモノのインターネット通信デバイスによって受信される場合に、プロキシＩＰアドレスは、宛先アドレスとして用いられる、ことが更に好ましい。
【００３０】
それによって、本発明によれば、基地局エンティティは、ルックアップテーブル又は他のデータベースを保持し、モノのインターネット通信デバイスの特定のデバイス識別子情報について、宛先アドレスと、任意選択で次ホップアドレス及び／又はプロキシＩＰアドレスとがデータベース又はルックアップテーブルに記憶されるようになっていることが有利に可能である。それによって、宛先アドレスと、任意選択で次ホップアドレス及び／又はプロキシＩＰアドレスとを、基地局エンティティによってコアネットワークに送信され又はコアネットワークから受信されるそれぞれのＩＰパケットに提供することが有利に可能である。
【００３１】
本発明の別の実施の形態によれば、基地局エンティティは、モノのインターネット通信デバイスによって提供されるデバイス識別子情報の少なくとも一部を名前解決メカニズムへの入力パラメータとして用いて、この名前解決メカニズムによって宛先アドレス及び／又は次ホップアドレス及び／又はプロキシＩＰアドレスを取り出すことが有利に可能である。
【００３２】
プロキシＩＰアドレスを割り当てることによって、送信元アドレスをモノのインターネット通信デバイスに割り当てることが有利に可能である。モノのインターネット通信デバイスが同じ無線セル内に局在して留まっている（又は、別の基地局エンティティに向けたいずれの移動も追跡され、対応するアドレスが更新される）場合、モノのインターネット通信デバイスは、プロキシＩＰアドレスに基づいてデータを受信することが更に可能である。ただし、モノのインターネット通信デバイスは、ネイティブＩＰ接続を有しないので、これは、モノのインターネット通信デバイスの特定のデバイス識別子及び／又はリンクレイヤ識別子とＩＰ接続との間の網間接続機能（interworking functionality）を提供する基地局エンティティに依存する。
【００３３】
本発明によれば、モノのインターネット通信デバイスは、アクティブモード及び／又はアイドルモード及び／又はスリープモードにおいて動作されるように構成され、モノのインターネット通信デバイスがアクティブモード及び／又はアイドルモード及び／又はスリープモードにある時間間隔は、モノのインターネット通信デバイスと基地局エンティティとの間若しくはモノのインターネット通信デバイスと関連付けられたアプリケーションサーバエンティティとの間のいずれかで通信されるか、又は基地局エンティティに知られており、特に、小規模低頻度通信データがモノのインターネット通信デバイスに送信される場合に、データは、基地局エンティティにバッファリングされることが更に好ましい。
【００３４】
それによって、本発明によれば、モノのインターネット通信デバイスを、エネルギー消費を非常に低くして動作させることができることが有利に可能である。
【００３５】
本発明の更に好ましい実施の形態によれば、モノのインターネット制御デバイスが、モノのインターネット通信デバイスのうちの少なくとも１つに接続され、方法は、モノのインターネット制御デバイスが、基地局エンティティが小規模低頻度通信データを含むコアネットワークに向けて送信するＩＰパケットを少なくとも部分的に生成するステップを含み、モノのインターネット制御デバイスは、特に、基地局エンティティがネットワークノードに向けて送信しているＩＰパケットの宛先アドレスを規定し、及び／又は、基地局エンティティは、特に、ＩＰパケット、特に、このＩＰパケットのヘッダ部分及び／又は送信元アドレスを追加及び／又は補完する。
【００３６】
それによって、モノのインターネット通信デバイスを用いて、例えば、基地局エンティティによってトランスペアレントに送信されるＩＰパケットを生成することができるモノのインターネット制御デバイスを接続することが有利に可能である。
【００３７】
さらに、本発明は、一方の複数のモノのインターネット通信デバイスと他方のモバイル通信ネットワークとの間で小規模低頻度通信データを送信する（又は交換する）システムであって、このシステムは、モバイル通信ネットワークと、複数のモノのインターネット通信デバイスとを備え、モバイル通信ネットワークは、アクセスネットワークと、コアネットワークとを備え、アクセスネットワークは、少なくとも無線セルと、この無線セルに関連付けられた基地局エンティティとを備え、この基地局エンティティは、アンテナ機器を備え、このアンテナ機器は、小規模低頻度通信データの受信及び／又は送信に用いられ、
モノのインターネット通信デバイスは、基地局エンティティのアンテナ機器によって受信されている無線周波数電磁信号を用いて、少なくともモノのインターネット通信デバイスから基地局エンティティに向かう方向に小規模低頻度通信データを送信し、及び／又は基地局エンティティのアンテナ機器によって送信されている無線周波数電磁信号を用いて、少なくとも基地局エンティティからモノのインターネット通信デバイスに向かう方向の小規模低頻度通信データを受信し、
−小規模低頻度通信データのペイロードサイズは、１０キロバイト未満であり、及び／又は、
−小規模低頻度通信データは、少なくとも６０分の時間間隔当たりの平均ビットレートが１０Ｂｄ（１０ビット毎秒）未満であり、
モバイル通信ネットワークは、少なくとも９，６ｋＢｄ（９６００ビット毎秒）のビットレートを有するモバイル通信データを伴う、特に、少なくとも９，６ｋＢｄ（９６００ビット毎秒）の比較的高いビットレートを有するモバイル通信データを伴うとともに基地局エンティティのアンテナ機器又は更なるアンテナ機器を用いるモバイル通信サービスをモバイル通信ネットワークのモバイル加入者に提供し、基地局エンティティとモバイル加入者との間のエアインターフェースは、モバイル通信サービスを提供する複数の無線チャネルを少なくとも１つの周波数帯域内に備え、
このシステムは、基地局エンティティが、コアネットワークのネットワークノードに向けて、小規模低頻度通信データをＩＰパケットのペイロード部分の一部として少なくとも部分的に送信する、ように構成されている、システムに関する。
【００３８】
それによって、本発明の方法の利点を提供するシステムを提供することが有利に可能である。
【００３９】
さらに、本発明は、本発明のシステムにおける、一方の複数のモノのインターネット通信デバイスと他方のモバイル通信ネットワークとの間で小規模低頻度通信データを交換することに適したモノのインターネット通信デバイスであって、このモノのインターネット通信デバイスは、特に、モノのインターネット制御デバイスを備える、モノのインターネット通信デバイスに関する。
【００４０】
さらに、本発明は、本発明のシステムにおいて、一方の複数のモノのインターネット通信デバイスと他方のモバイル通信ネットワークとの間で小規模低頻度通信データを送信することに適したモノのインターネット通信デバイスであって、特に、モノのインターネット制御デバイスを備える、モノのインターネット通信デバイスに関する。好ましくは、このモノのインターネット制御デバイスは、複数のモノのインターネット通信デバイス及び／又は任意のエンティティ、特に家庭電化製品を制御するように構成されている。
【００４１】
さらに、本発明は、一方の複数のモノのインターネット通信デバイスと他方のモバイル通信ネットワークとの間で小規模低頻度通信データを送信する（又は交換する）このモバイル通信ネットワークであって、このモバイル通信ネットワークは、アクセスネットワークと、コアネットワークとを備え、アクセスネットワークは、少なくとも無線セルと、この無線セルに関連付けられた基地局エンティティとを備え、この基地局エンティティは、アンテナ機器を備え、このアンテナ機器は、小規模低頻度通信データの受信及び／又は送信に用いられ、
モノのインターネット通信デバイスは、基地局エンティティのアンテナ機器によって受信されている無線周波数電磁信号を用いて、少なくともモノのインターネット通信デバイスから基地局エンティティに向かう方向に小規模低頻度通信データを送信し、及び／又は基地局エンティティのアンテナ機器によって送信されている無線周波数電磁信号を用いて、少なくとも基地局エンティティからモノのインターネット通信デバイスに向かう方向の小規模低頻度通信データを受信するように構成され、
−小規模低頻度通信データのペイロードサイズは、１０キロバイト未満であり、及び／又は、
−小規模低頻度通信データは、少なくとも６０分の時間間隔当たりの平均ビットレートが１０Ｂｄ（１０ビット毎秒）未満であり、
このモバイル通信ネットワークは、少なくとも９，６ｋＢｄ（９６００ビット毎秒）のビットレートを有するモバイル通信データを伴う、特に、少なくとも９，６ｋＢｄ（９６００ビット毎秒）の比較的高いビットレートを有するモバイル通信データを伴うとともに基地局エンティティのアンテナ機器又は更なるアンテナ機器を用いるモバイル通信サービスをこのモバイル通信ネットワークのモバイル加入者に提供するように構成され、基地局エンティティとモバイル加入者との間のエアインターフェースは、モバイル通信サービスを提供する複数の無線チャネルを少なくとも１つの周波数帯域内に備え、
このモバイル通信ネットワークは、基地局エンティティが、コアネットワークのネットワークノードに向けて、小規模低頻度通信データをＩＰパケットのペイロード部分の一部として少なくとも部分的に送信する、ように構成されている、モバイル通信ネットワークに関する。
【００４２】
それによって、本発明の方法及び本発明のシステムの利点を提供するモバイル通信ネットワークを提供することが有利に可能である。
【００４３】
加えて、本発明は、コンピュータ上で、又はモノのインターネット通信デバイス上で、又はモバイル通信ネットワークのネットワーク構成要素上で、又は一部がモノのインターネット通信デバイス上及び一部がモバイル通信ネットワークのネットワーク構成要素上で実行されると、コンピュータ又はモノのインターネット通信デバイス及び／又はモバイル通信ネットワークのネットワーク構成要素に、本発明の方法を実行させる、コンピュータ可読プログラムコードを含むプログラムに関する。
【００４４】
更に加えて、本発明は、一方の複数のモノのインターネット通信デバイスと他方のモバイル通信ネットワークとの間で小規模低頻度通信データを送信する（又は交換する）コンピュータプログラム製品であって、このコンピュータプログラム製品は、記憶媒体に記憶されたコンピュータプログラムを含み、このコンピュータプログラムは、コンピュータ上で、又はモノのインターネット通信デバイス上で、又はモバイル通信ネットワークのネットワーク構成要素上で、又は一部がモノのインターネット通信デバイス上及び一部がモバイル通信ネットワークのネットワーク構成要素上で実行されると、コンピュータ又はモノのインターネット通信デバイス及び／又はモバイル通信ネットワークのネットワーク構成要素に、本発明の方法を実行させる、コンピュータプログラム製品に関する。
【００４５】
本発明のこれらの特性、特徴、及び利点、並びに他の特性、特徴、及び利点は、添付図面とともに用いられた以下の詳細な説明から明らかになる。これらの添付図面は、本発明の原理を例として示している。説明は、本発明の範囲を限定するものではなく、例示のためにのみ与えられている。以下で引用される参照図は、添付図面を指す。
【図面の簡単な説明】
【００４６】
【図１】基地局エンティティによってサービングされている無線セルと、モバイル通信ネットワークによってサービングされている複数のモバイル加入者又はユーザ機器と、モバイル通信ネットワークを用いて小規模低頻度通信データを送信する複数のモノのインターネット通信デバイスとを備える当該モバイル通信ネットワークを概略的に示す図である。
【図２】モバイル通信ネットワークのコアネットワークと接続され、アンテナ機器を備える基地局エンティティを概略的に示す図である。
【発明を実施するための形態】
【００４７】
本発明は、特定の実施形態に関して幾つかの図面を参照して説明されるが、本発明は、これらの実施形態及び図面に限定されるものではなく、特許請求の範囲によってのみ限定される。説明する図面は、概略的なものにすぎず、非限定的である。図面において、要素のうちの幾つかのもののサイズは、誇張されている場合があり、例示の目的で一律の縮尺で描かれていない場合がある。
【００４８】
単数の名詞に言及する場合に不定冠詞又は定冠詞、例えば、「一（a、an）」「その（the）」が使用されるとき、特に別段の指定がない限り、これは、その名詞の複数形を含む。
【００４９】
さらに、本明細書及び特許請求の範囲における第１、第２、第３等の用語は、同様の要素を区別するために用いられており、必ずしも、連続した順序又は時間順を説明するために用いられているとは限らない。そのように用いられる用語は、適切な状況下では交換可能であり、本明細書において説明する本発明の実施形態は、本明細書において説明又は図示するもの以外の順序で動作することができることが理解されるべきである。
【００５０】
図１には、基地局エンティティ１１１によってサービングされている無線セル１０を備えるモバイル通信ネットワーク１００が概略的に示されている。この例では、モバイル通信ネットワーク１００は、アクセスネットワーク１１０及びコアネットワーク１２０を備える。モバイル通信ネットワーク１００は、好ましくは、通常は複数のネットワーク無線セルを備えるセルラ電気通信ネットワークである。これらの複数のネットワーク無線セルのうちの１つが、実線及び参照符号１０によって図１に表されている。モバイル通信ネットワーク１００には、通常、複数のモバイル加入者４０（又はユーザ機器）が、電気通信ネットワーク１００においてネットワーク無線セル１０内にキャンプオンしている。すなわち、モバイル加入者４０は、無線セル１０をサービングする基地局エンティティ１１１に接続されているか又はキャンプオンしている。基地局エンティティ１１１は、通常は基地局、例えば、ＮｏｄｅＢ基地送受信機局又はｅＮｏｄｅＢ基地送受信機局である。モバイル通信ネットワーク１００は、当該モバイル通信ネットワーク１００の無線セル１０内のモバイル加入者４０にモバイル通信サービスを提供するように構成されている。好ましくは、モバイル通信データ（モバイル通信サービスに関係したもの）は、基地局エンティティ１１１を介してモバイル加入者４０とモバイル通信ネットワークとの間で送信され、モバイル通信データは、少なくとも９，６ｋＢｄ（９６００ビット毎秒）のビットレートを用いて送信され、特に、モバイル通信データは、少なくとも９，６ｋＢｄ（９６００ビット毎秒）の比較的高いビットレートを用いて送信される。基地局エンティティ１１１とモバイル加入者４０との間のエアインターフェースは、少なくとも１つの周波数帯域内にモバイル通信サービスを提供する複数の周波数チャネルを備える。
【００５１】
コアネットワーク１２０は、クラウド（cloud：雲状）表現と、コアネットワーク１２０の１つのネットワークノード１２１とによって概略的にのみ示されている。公有地のモバイルネットワーク１００（特に、コアネットワーク１２０）は、通常、ＭＳＣ（モバイルスイッチングセンタ）、ＳＧＳＮ（サービングＧＰＲＳサポートノード）、ＭＭＥ（Mobile Management Entity：移動管理エンティティ）等の様々なネットワーク要素を備え、好ましくは、その複数のネットワーク要素を備える。
【００５２】
本発明によれば、複数のモノのインターネット通信デバイス２０は、ネットワーク無線セル１０内に位置している。すなわち、モノのインターネット通信デバイス２０は、基地局エンティティ１１１又は少なくともその構成要素に少なくとも接続することができる。モノのインターネット通信デバイス２０のうちの１つは、モノのインターネット制御デバイス２５とともに概略的に示されている。モノのインターネット制御デバイス２５は、通常、それぞれのモノのインターネット通信デバイス２０と統合されている。
【００５３】
モノのインターネット通信デバイス２０は、基地局エンティティ１１１によって受信及び／又は送信される、小規模低頻度通信データを送信／受信する無線周波数電磁信号を交換するように構成されている。この小規模低頻度通信データは、少なくとも６０分の時間間隔ごとに平均すると、高くとも１０Ｂｄ（１０ビット毎秒）の比較的低いビットレートで交換される。さらに、小規模低頻度通信データのペイロードサイズは、通常、単位データ送信当たり（すなわち、データ送信イベント当たり、例えば、メータ読み取り値の送信当たり）１０キロバイト未満である。
【００５４】
図２には、モバイル通信ネットワーク１００のコアネットワーク１２０と接続されている基地局エンティティ１１１が概略的に表され、この基地局エンティティ１１１は、アンテナ機器１１９を備える。
【００５５】
本発明によれば、既存の軽量無線（lightweight radio）（Ｓｅｍｔｅｃｈ、Ｓｉｇｆｏｘ、又はＮｅｕｌ等）は、無線技術（すなわち、これらの技術によるエアインターフェース）に対する変更を行うことなく用いることができ、モノのインターネット通信デバイス２０のデバイスプロトコルスタックの一部としての異なるアーキテクチャの上位レイヤの密な統合を有するのではなく、コアネットワークにおける全ての必要とされる網間接続及び適応を行うことができる。
【００５６】
既存の軽量無線（Ｓｅｍｔｅｃｈ、Ｓｉｇｆｏｘ、又はＮｅｕｌ等）を用いる代わりに、新たな「クリーンスレート」の無線技術を本発明において同様に用いることができる。
【００５７】
モノのインターネット通信デバイス２０（ＣＩｏＴ無線デバイス）は、セルラ基地局（又は基地局エンティティ１１１）とのみ通信し、その無線リンク（又はエアインターフェース）にわたってデータを送受信することができる非常に単純なバッテリ最適化無線モデムに対応する。
【００５８】
本発明によれば、モノのセルラインターネットのユースケースには、デバイス関連リソース／ＱｏＳ管理は必要とされない。モノのインターネット通信デバイス２０は、ＳＩＭカードも必要としないが、任意選択でＳＩＭカードを設けることもできる。
【００５９】
モノのインターネット通信デバイス２０は、高位レイヤ通信プロトコル（レイヤ２よりも上であり、３ＧＰＰ用語体系では非アクセス層）のいずれもサポートしておらず、モバイル通信ネットワーク１００のコアネットワーク１２０との通信は行われない。その結果、モノのインターネット通信デバイス２０は、ＡＰＮ（アクセスポイント名）の概念、アプリケーション（サーバ）の概念、又はインターネットプロトコルの概念さえも有しない。コアネットワーク１２０に向けた全ての網間接続は、セルラモバイル通信ネットワーク１００の無線アクセスにおいて実行される。
【００６０】
モノのインターネット通信デバイス２０は、データ（すなわち、小規模低頻度通信データ）を送信したいとき、基地局エンティティ１１１（又は複数のセル若しくは複数の基地局エンティティ）に向けて無線リンクにわたってデータを単に送信する。システム設計は、通常、単一のフレーム（小規模低頻度通信データのフレーム）がほとんどの「小規模データ」アプリケーションにとって十分であるようになっているべきである。無線レベルセグメンテーションよりも多くのデータを搬送する必要がある場合、ＭＡＣ無線レイヤ又はＲＬＣ無線レイヤにおいて再組立てが適用される。同じことは、原則として、基地局エンティティがモノのインターネット通信デバイス２０にデータを送信したい場合にも当てはまる。
【００６１】
基地局エンティティ１１１は、モノのインターネット通信デバイス２０のデバイス識別情報を用いて、このモノのインターネット通信デバイス２０について適用されるアプリケーション又はコアネットワークアドレスに関する情報を含む「加入記録」を取得することができる。最も簡単な形態では、このデバイス識別情報は、（比較的「長い」）一意のデバイス識別子とすることができる。このデバイス識別情報は、モノのインターネット通信デバイス２０と基地局エンティティ１１１との間の無線リンク上のリンクレイヤ識別子として直接又は間接的に用いることもできる。基地局エンティティ１１１は、その後（すなわち、小規模低頻度通信データを受信した後）、受信フレーム（複数の場合もある）をカプセル化して、１つのＩＰパケット又は複数のＩＰパケット（通常は単一のＩＰパケットで十分なはずである）にし、それらを加入記録に示された宛先に送信する。可能な宛先は、以下のものとすることができる。
−モノのインターネットサービス自体又はサードパーティアプリケーションサーバとのインターフェースを提供する（モバイル通信ネットワーク１００の事業者の）事業者領域内のゲートウェイ／サービスノード。これは、ＲＡＮ及びモノのインターネット通信デバイス２０にトランスペアレントである；
−事業者のＣＮの外部のサードパーティゲートウェイ／アプリケーションサーバ；
−更なる処理のための異なるＲＡＮセル（すなわち、通常は別の無線セル（図１に図示せず）をサービングする異なる基地局エンティティ）；又は、
−小規模低頻度通信データのローカル処理のためのＲＡＮセル（すなわち、基地局エンティティ１１１）自体。
【００６２】
任意選択で、宛先アドレスに加えて、次ホップネットワークノードのアドレスを加入記録において規定することができる。この次ホップネットワークノードは、ＩＰパケットの次の後続の宛先に対応する。それによって、基地局エンティティ１１１は、宛先アドレスによって指定されたエンティティにＩＰパケットを送信することが可能であるとともに、任意選択で、これに加えて、ＩＰパケットの次の後続の宛先の次ホップアドレスを、好ましくはＩＰパケットペイロード又はＩＰパケットヘッダに含まれるパラメータとして示すことが可能である。
【００６３】
モノのインターネット通信デバイス２０は、ＩＰを「スピーク（speak）」しないので、無線セル（すなわち、基地局エンティティ１１１）は、好ましくは、プロキシＩＰアドレスを割り当て、そのプロキシＩＰアドレスと、モノのインターネット通信デバイス２０のデバイス識別情報及び／又はリンクレイヤ識別子との間のマッピングを保持する。
【００６４】
加入記録の内容に従って、無線セル（すなわち、基地局エンティティ１１１）は、当該無線セルが宛先アドレスに送信するＩＰパケット内に小規模低頻度通信データの「次ホップ」宛先を示すことができる。基地局エンティティ１１１は、それに応じて（例えば、トンネリング又は他のＩＰカプセル化を適用することによって）ＩＰアドレスを提供することのみ必要である。基地局エンティティ１１１は、「次ホップ」ノードと宛先ノードとの間の関係を「見ない」。実際には、基地局エンティティ１１１が加入記録内に「宛先アドレス」のみを見つけた（したがって、ＩＰカプセル化又はトンネリングを適用しない）ときであっても、その宛先は、実際には中間ノードであって、小規模低頻度通信データの最終アドレスでない場合がある。この場合、この中間ノード自体が、そのデータを送信する次の正しいネットワークノードを見つけるために、上記で基地局エンティティ１１１について説明したものと同様の機能を必要とする。
【００６５】
モノのインターネット通信デバイス２０の移動管理は、通常、当該モノのインターネット通信デバイス２０によるセル再選択に限られる。これは、モノのインターネット通信デバイス２０の最も近時に選択した基地局エンティティ１１１によって、当該モノのインターネット通信デバイス２０が到達可能であることを保証する。この解決策は、単一セルの到達可能エリアを意味し、３ＧＰＰ標準規格による従来の無線アクセス技術に関して知られているようなマルチセルエリア概念及びページングが存在しないことを意味する。これは、モノのインターネット通信デバイス２０の移動要件が、モバイル通信ネットワーク１００のユーザ機器４０の一般的なモバイル加入者の移動要件と比較してはるかに多く削減されているか、又は存在しない場合さえあるので行うことができる。さらに、複数の無線セル（すなわち、複数の基地局エンティティ）を用いて、特定のエリア内のモノのインターネット通信デバイス２０をアドレス指定することによって、到達可能性の階層レベルを適用することができる。
【００６６】
ダウンリンク方向において、ＩＰパケットは、基地局エンティティ１１１によって割り当てられたプロキシＩＰアドレスを用いることによってデバイスに向けて送信されるか（そのアドレスが送信者に提供されていた場合）、又は、無線アドレスが、例えば、トンネリング若しくは他のＩＰカプセル化によって隠ぺいされている場合には、上記宛先及び／又は次ホップノードに向けて送信される。前者の場合、通常のＩＰルーティングがセルに向けて適用される。後者の場合、宛先及び／又は次ホップノードは、説明したトンネリングを逆形式で適用するために、トンネリングパラメータを保持する必要がある。
【００６７】
最後に、基地局エンティティ１１１は、ＩＰ対リンクマッピングを適用し、データをモノのインターネット通信デバイス２０に転送する。
【００６８】
アクティブモード／アイドルモード／スリープモードの任意の変形形態、及び必要に応じたページングは、無線セル、すなわち基地局エンティティ１１１によってハンドリングされる。ダウンリンクデータが到達したときにモノのインターネット通信デバイス２０が「オフライン」である場合、基地局エンティティ１１１は、モノのインターネット通信デバイス２０が次にウェイクアップするまで、データをバッファリングすることができる。到達可能時間（reachability time）に関する情報は、基地局エンティティ１１１によってコアネットワークエンティティ（例えば、３ＧＰＰ  ＭＴＣ省電力モード（power save mode）／ｅＤＲＸに記載されているような同様の機能）に提供することができる。代替的に、モノのインターネット通信デバイス２０は、対応する無線セル（又は基地局エンティティ１１１）又は規定された「到達可能時間」を有する関連付けられたアプリケーションサーバエンティティによって事前に構成することができる。または、周期的なキープアライブシグナリング後にデバイスから開始される或る時間とすることも可能である。
【００６９】
本発明によれば、モノのインターネット通信デバイス２０に加えて、モノのインターネット制御デバイス２５を設けることが可能であり、好ましい。モノのインターネット制御デバイス２５は、特定のユースケースによる必要に応じて高位レイヤ機能、例えば、アクセス許可機能及びアクセス認証機能、暗号化機能、アプリケーション管理機能を提供する。モノのインターネット制御デバイス２５は、「ＩＰをスピークし（speaks IP）」（すなわち、ＩＰパケットを生成することができる）、１つ又は多くのＣＩｏＴ無線デバイスを制御することができ、その機能を１つ又は多くのＣＩｏＴ無線デバイスに提供することができる。全ての網間接続は、引き続き、上述したようにＲＡＮ（無線アクセスネットワーク）において行われ、唯一の相違は、ＲＡＮセルがＩＰパケットを既に受信しているということである。
【００７０】
そのようなＩＰパケットは、有効な宛先アドレスを含むことができ、その場合、基地局エンティティ１１１は、それに応じて、ＩＰパケットを単に転送するだけである。基地局エンティティ１１１は、受信アドレスが有効でない場合に、又は加入記録の内容に応じて、別の宛先アドレスを適用することもできる。いずれの場合にも、上記で説明したようなトンネリングの変形形態及び非トンネリングの変形形態の双方が可能である。
【００７１】
特定のコアネットワークタイプ又はアーキテクチャとの網間接続が、必要な場合に様々なコアネットワークアーキテクチャに接続することを可能にする無線インターフェースから独立したものであるように、モノのインターネット制御デバイス２５のモジュラ手法も可能である。
【００７２】
本発明によれば、モノのインターネット通信デバイス２０の無線機能の柔軟性及び簡素性を高めるために、無線機能、「無線収束レイヤ／機能」及び宛先ノードの間の高度な独立性が提案される。
なお、出願当初の特許請求の範囲の記載は以下の通りである。
請求項１：
一方の複数のモノのインターネット通信デバイス（２０）と他方のモバイル通信ネットワーク（１００）との間で小規模低頻度通信データを送信する方法であって、
前記モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
前記モノのインターネット通信デバイス（２０）は、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信し、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
前記モバイル通信ネットワーク（１００）は、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを前記モバイル通信ネットワーク（１００）のモバイル加入者（４０）に提供し、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該方法は、前記コアネットワーク（１２０）のネットワークノード（１２１）に向けて、前記小規模低頻度通信データをＩＰパケットの前記ペイロード部分の一部として少なくとも部分的に送信する、前記基地局エンティティ（１１１）のステップを含む、方法。
請求項２：
前記小規模低頻度通信データを送信する前記電磁信号は、一周波数又は複数の周波数を用いて送信され、該周波数は、
前記モバイル通信ネットワーク（１００）の前記モバイル通信サービスを提供する前記少なくとも１つの周波数帯域の前記少なくとも１つの無線チャネルの周波数と異なり、及び／又は、
前記モバイル通信ネットワーク（１００）の前記モバイル通信サービスを提供する前記少なくとも１つの周波数帯域の少なくとも１つの無線チャネルの周波数と少なくとも部分的に重複し、
前記電磁スペクトルの免許不要部分内にあり、又は、
前記電磁スペクトルの免許部分内にある、
請求項１に記載の方法。
請求項３：
前記モノのインターネット通信デバイス（２０）のそれぞれは、デバイス識別子情報を送信し、該デバイス識別子情報は、特に、前記モノのインターネット通信デバイス（２０）のそれぞれについて一意であり、特に、前記デバイス識別子情報は、前記モノのインターネット通信デバイス（２０）と前記モバイル通信ネットワーク（１００）の前記基地局エンティティ（１１１）との間の前記無線リンク上でリンクレイヤ識別子として直接又は間接的に用いられる、請求項１又は２に記載の方法。
請求項４：
前記基地局エンティティ（１１１）から前記コアネットワーク（１２０）に向けて送信されるＩＰパケットの宛先アドレスは、前記モノのインターネット通信デバイス（２０）から受信されるデバイス識別子情報に依存し、
前記宛先アドレスは、特に、以下のもの、すなわち、
それぞれが前記コアネットワーク（１２０）内に位置するか又は前記コアネットワーク（１２０）の外部に位置するが前記コアネットワーク（１２０）に接続されている、ゲートウェイ若しくは中間ノード又はサービスノード若しくはアプリケーションサーバ、
前記アクセスネットワーク（１１０）の別の基地局エンティティ、
前記基地局エンティティ（１１１）自体のアドレス、
のうちの１つに対応し、
前記宛先アドレスに加えて任意選択で、前記コアネットワーク（１２０）の次ホップネットワークノードのアドレスが規定され、該次ホップネットワークノードは、前記ＩＰパケットの次の後続の宛先に対応する、請求項１〜３のいずれか１項に記載の方法。
請求項５：
前記方法は、特に前記基地局エンティティ（１１１）によって、前記モノのインターネット通信デバイス（２０）のうちの少なくとも１つにプロキシＩＰアドレスを割り当てるステップを含み、小規模低頻度通信データが前記少なくとも１つのモノのインターネット通信デバイス（２０）から前記基地局エンティティ（１１１）によって受信される場合に、前記プロキシＩＰアドレスは、前記基地局エンティティ（１１１）から前記コアネットワーク（１２０）に向けて送信された前記小規模低頻度通信データに対応する前記ＩＰパケットの送信元アドレスとして用いられ、特に、小規模低頻度通信データが前記少なくとも１つのモノのインターネット通信デバイス（２０）によって受信される場合に、前記プロキシＩＰアドレスは、宛先アドレスとして用いられる、請求項１〜４のいずれか１項に記載の方法。
請求項６：
前記基地局エンティティ（１１１）は、ルックアップテーブル又は他のデータベースを保持し、モノのインターネット通信デバイス（２０）の特定のデバイス識別子情報について、宛先アドレスと、任意選択で次ホップアドレス及び／又はプロキシＩＰアドレスとが前記データベース又は前記ルックアップテーブルに記憶されるようになっている、請求項１〜５のいずれか１項に記載の方法。
請求項７：
前記基地局エンティティ（１１１）は、前記モノのインターネット通信デバイス（２０）によって提供される前記デバイス識別子情報の少なくとも一部を名前解決メカニズムへの入力パラメータとして用いて、該名前解決メカニズムによって前記宛先アドレス及び／又は前記次ホップアドレス及び／又は前記プロキシＩＰアドレスを取り出す、請求項３、４、５、又は６のいずれか１項に記載の方法。
請求項８：
前記モノのインターネット通信デバイス（２０）は、アクティブモード及び／又はアイドルモード及び／又はスリープモードにおいて動作されるように構成され、前記モノのインターネット通信デバイス（２０）がアクティブモード及び／又はアイドルモード及び／又はスリープモードにある時間間隔は、前記モノのインターネット通信デバイス（２０）と前記基地局エンティティ（１１１）との間若しくは前記モノのインターネット通信デバイス（２０）と関連付けられたアプリケーションサーバエンティティとの間のいずれかで通信されるか、又は前記基地局エンティティ（１１１）に知られており、特に、小規模低頻度通信データが前記モノのインターネット通信デバイス（２０）に送信される場合に、データは、前記基地局エンティティ（１１１）にバッファリングされる、請求項１〜７のいずれか１項に記載の方法。
請求項９：
モノのインターネット制御デバイス（２５）が、前記モノのインターネット通信デバイス（２０）のうちの少なくとも１つに接続され、前記方法は、前記モノのインターネット制御デバイス（２５）が、前記小規模低頻度通信データを含む、前記基地局エンティティ（１１１）が送信する前記ＩＰパケットを少なくとも部分的に生成するステップを含み、前記モノのインターネット制御デバイス（２５）は、特に、前記基地局エンティティ（１１１）が前記ネットワークノード（１２１）に向けて送信している前記ＩＰパケットの前記宛先アドレスを規定し、及び／又は、前記基地局エンティティ（１１１）は、特に、前記ＩＰパケット、特に、該ＩＰパケットの前記ヘッダ部分及び／又は前記送信元アドレスを追加及び／又は補完する、請求項１〜８のいずれか１項に記載の方法。
請求項１０：
一方の複数のモノのインターネット通信デバイス（２０）と他方のモバイル通信ネットワーク（１００）との間で小規模低頻度通信データを送信するシステムであって、該システムは、モバイル通信ネットワーク（１００）と、前記複数のモノのインターネット通信デバイス（２０）とを備え、前記モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
該システムは、前記モノのインターネット通信デバイス（２０）が、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信する、ように構成され、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
該システムは、前記モバイル通信ネットワーク（１００）が、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを前記モバイル通信ネットワーク（１００）のモバイル加入者（４０）に提供する、ように構成され、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該システムは、前記基地局エンティティ（１１１）が、前記コアネットワーク（１２０）のネットワークノード（１２１）に向けて、前記小規模低頻度通信データをＩＰパケットの前記ペイロード部分の一部として少なくとも部分的に送信する、ように構成されている、システム。
請求項１１：
請求項１０に記載のシステムにおける、一方の複数のモノのインターネット通信デバイス（２０）と他方のモバイル通信ネットワーク（１００）との間で小規模低頻度通信データを送信することに適したモノのインターネット通信デバイス（２０）であって、
該モノのインターネット通信デバイス（２０）は、特に、モノのインターネット制御デバイス（２５）を備える、モノのインターネット通信デバイス。
請求項１２：
一方の複数のモノのインターネット通信デバイス（２０）と他方のモバイル通信ネットワーク（１００）との間で小規模低頻度通信データを送信する該モバイル通信ネットワーク（１００）であって、該モバイル通信ネットワーク（１００）は、アクセスネットワーク（１１０）と、コアネットワーク（１２０）とを備え、前記アクセスネットワーク（１１０）は、少なくとも無線セル（１０）と、該無線セル（１０）に関連付けられた基地局エンティティ（１１１）とを備え、該基地局エンティティ（１１１）は、アンテナ機器（１１９）を備え、該アンテナ機器（１１９）は、前記小規模低頻度通信データの受信及び／又は送信に用いられ、
前記モノのインターネット通信デバイス（２０）は、前記基地局エンティティ（１１１）の前記アンテナ機器（１１９）によって受信されている無線周波数電磁信号を用いて、少なくとも前記モノのインターネット通信デバイス（２０）から前記基地局エンティティ（１１１）に向かう前記方向に前記小規模低頻度通信データを送信し、及び／又は前記基地局エンティティ（１１１）の前記アンテナ機器（１１９）によって送信されている無線周波数電磁信号を用いて、少なくとも前記基地局エンティティ（１１１）から前記モノのインターネット通信デバイス（２０）に向かう前記方向の前記小規模低頻度通信データを受信するように構成され、
前記小規模低頻度通信データの前記ペイロードサイズは、１０キロバイト未満であり、及び／又は、
前記小規模低頻度通信データは、少なくとも６０分の時間間隔当たりの平均ビットレートが１０Ｂｄ（１０ビット毎秒）未満であり、
該モバイル通信ネットワーク（１００）は、少なくとも９，６ｋＢｄ（９６００ビット毎秒）のビットレートを有するモバイル通信データを伴うとともに前記基地局エンティティ（１１１）の前記アンテナ機器（１１９）又は更なるアンテナ機器（１１８）を用いるモバイル通信サービスを該モバイル通信ネットワーク（１００）のモバイル加入者（４０）に提供するように構成され、前記基地局エンティティ（１１１）と前記モバイル加入者（４０）との間の前記エアインターフェースは、前記モバイル通信サービスを提供する複数の無線チャネルを少なくとも１つの周波数帯域内に備え、
該モバイル通信ネットワーク（１００）は、前記基地局エンティティ（１１１）が、前記コアネットワーク（１２０）のネットワークノード（１２１）に向けて、前記小規模低頻度通信データをＩＰパケットの前記ペイロード部分の一部として少なくとも部分的に送信する、ように構成されている、モバイル通信ネットワーク。
請求項１３：
コンピュータ上で、又はモノのインターネット通信デバイス（２０）上で、又はモバイル通信ネットワーク（１００）のネットワーク構成要素上で、又は一部がモノのインターネット通信デバイス（２０）上及び一部がモバイル通信ネットワーク（１００）のネットワーク構成要素上で実行されると、前記コンピュータ又は前記モノのインターネット通信デバイス（２０）及び／又は前記モバイル通信ネットワーク（１００）の前記ネットワーク構成要素に、請求項１〜９のいずれか１項に記載の方法を実行させる、コンピュータ可読プログラムコードを含むプログラム。
請求項１４：
一方の複数のモノのインターネット通信デバイス（２０）と他方のモバイル通信ネットワーク（１００）との間で小規模低頻度通信データを送信するコンピュータプログラム製品であって、該コンピュータプログラム製品は、記憶媒体に記憶されたコンピュータプログラムを含み、該コンピュータプログラムは、コンピュータ上で、又はモノのインターネット通信デバイス（２０）上で、又はモバイル通信ネットワーク（１００）のネットワーク構成要素上で、又は一部がモノのインターネット通信デバイス（２０）上及び一部がモバイル通信ネットワーク（１００）のネットワーク構成要素上で実行されると、前記コンピュータ又は前記モノのインターネット通信デバイス（２０）及び／又は前記モバイル通信ネットワーク（１００）の前記ネットワーク構成要素に、請求項１〜９のいずれか１項に記載の方法を実行させる、コンピュータプログラム製品。
【図１】
0006491361.tif 000002
【図２】
0006491361.tif 000003